(57)【要約】【課題】より安全に使用可能な冷蔵庫用レールアセンブリ及びこれを含む冷蔵庫用収納ボックス出入装置を提供すること。【解決手段】貯蔵空間の一側に前後方に長く備えられ、一面が開口されるガイドチャンネルが長手方向に長く備えられるガイドレールと、ガイドレールのガイドチャンネルと対向する一面が開口されるガイドチャンネルが長手方向に長く備えられ、収納ボックスが着脱可能に装着される移動レールと、ガイドチャンネルに各々挿入される一対のガイドフランジが備えられる中間レールと、ガイドチャンネルとガイドフランジとの間に備えられる多数個のボールベアリングと、を含んで構成され、ガイドレールと移動レールが中間レールに対して移動することで、収納ボックスが貯蔵空間の内外部に出入される。【選択図】図１
2007155324.tif 000002
【特許請求の範囲】
【請求項１】
冷蔵庫貯蔵空間の内外部に出入する収納ボックスを案内するための冷蔵庫用レールアセンブリであって、
前記貯蔵空間の一側に前後方に長く備えられ、一面が開口されるガイドチャンネルが長手方向に長く備えられるガイドレールと、
前記ガイドレールのガイドチャンネルと対向する一面が開口されるガイドチャンネルが長手方向に長く備えられ、前記収納ボックスが着脱可能に装着される移動レールと、
前記ガイドチャンネルに各々挿入される一対のガイドフランジが備えられる中間レールと、そして、
前記ガイドチャンネルとガイドフランジとの間に備えられる多数個のボールベアリングと、を含んで構成され、
前記ガイドレールと移動レールが前記中間レールに対して移動することで、前記収納ボックスが前記貯蔵空間の内外部に出入されることを特徴とする冷蔵庫用レールアセンブリ。
【請求項２】
前記ガイドチャンネルは各々その一面の少なくとも一部が開口される多面体形状の横断面を有するように形成され、
前記ガイドフランジはその一面が対向する前記ガイドチャンネルの内面から所定の間隔だけ離隔するようにガイドチャンネルの内部に位置するように各々形成され、
前記ボールベアリングは互いに対向する前記ガイドチャンネルの内面と前記ガイドフランジの一面との間に位置することを特徴とする請求項１記載の冷蔵庫用レールアセンブリ。
【請求項３】
前記ガイドチャンネルの内面と対向する前記ガイドフランジの一面にはガイドフランジの長手方向に長く形成され、前記ボールベアリングが前記中間レールの長手方向に直交する方向に流動されることを防止するための区切りリブが備えられることを特徴とする請求項２記載の冷蔵庫用レールアセンブリ。
【請求項４】
前記中間レールはその幅方向の両端が前記ガイドチャンネルの内面から所定の距離だけ離隔するようにガイドチャンネルの内部に位置するように長手方向に長く形成され、
前記ガイドフランジは前記中間レールの幅方向の両端から所定の距離だけ離隔する位置に備えられ、
前記ボールベアリングは、前記中間レールの幅方向の両端により中間レールの長手方向に直交する方向に流動されることが防止されることを特徴とする請求項２記載の冷蔵庫用レールアセンブリ。
【請求項５】
前記固定レールは前記貯蔵空間の両側面に各々備えられることを特徴とする請求項１乃至４のうち、いずれか１記載の冷蔵庫用レールアセンブリ。
【請求項６】
前記固定レールは前記貯蔵空間の底面に備えられることを特徴とする請求項１乃至４のうち、いずれか１記載の冷蔵庫用レールアセンブリ。
【請求項７】
前記ガイドレールに対する前記移動レールの移動速度を制御するダンピング力を提供するダンピング装置を更に含んで構成されることを特徴とする請求項１乃至４のうち、いずれか１記載の冷蔵庫用レールアセンブリ。
【請求項８】
前記ダンピング装置は、
前記貯蔵空間の内部に前記収納ボックスが受納される方向への前記ガイドレールに対する前記移動レールの移動速度を低減させるダンピング力を提供するダンピングユニットと、
前記収納ボックスが前記貯蔵空間の外部に引出される方向への前記ガイドレールに対する前記移動レールの移動距離によって前記移動レールとダンピングユニットを選択的に結合させる結合手段を含んで構成されることを特徴とする請求項７記載の冷蔵庫用レールアセンブリ。
【請求項９】
前記ダンピングユニットは、
前記移動レールの前記ガイドレールに対する移動方向へ移動可能に設けられるピストンと、
前記貯蔵空間の内部に前記収納ボックスが受納される方向に前記ピストンの移動を妨げるダンピング流体を含んで構成されることを特徴とする請求項８記載の冷蔵庫用レールアセンブリ。
【請求項１０】
前記ダンピング部材は、
前記貯蔵空間の内部に前記収納ボックスが受納される方向への弾性力を前記ピストンに与える弾性部材を更に含んで構成されることを特徴とする請求項９記載の冷蔵庫用レールアセンブリ。
【請求項１１】
前記結合手段は、
前記ピストンに結合される連動カムと、
前記ガイドレールに備えられて前記連動カムの移動を案内する第１ガイドスロットが備えられるガイド部材、そして、
前記移動レールの一側に備えられて前記収納ボックスが前記貯蔵空間の外部に引出される方向への前記ガイドレールに対する前記移動レールの移動距離によって、前記連動カムと選択的に結合されて連動する連動部材と、
を含んで構成されることを特徴とする請求項１０記載の冷蔵庫用レールアセンブリ。
【請求項１２】
前記収納ボックスが前記貯蔵空間の内部に受納される方向に前記移動レールが前記ガイドレールに対して移動すれば、前記連動カムに備えられる収納連動突起が前記連動部材に備えられる収納連動部に密着することによって、前記連動カムと連動部材が結合され、
前記収納ボックスが前記貯蔵空間の外部に引出される方向に前記移動レールが前記ガイドレールに対して移動すれば、前記連動カムに備えられる引出連動突起が前記連動部材に備えられる引出連動部に安着することによって、前記連動カムと連動部材が結合され、
前記収納ボックスが前記貯蔵空間の外部に引出される方向に前記移動レールが前記ガイドレールに対して所定の距離だけ移動すれば、前記連動カムに備えられるガイド突起が前記ガイド部材に備えられる第２ガイドスロットに沿って移動することで、前記連動カムが前記ピストンに対して弾性変形して前記引出連動突起が前記引出連動部に安着した状態で脱去することを特徴とする請求項１０記載の冷蔵庫用レールアセンブリ。
【請求項１３】
冷蔵庫の貯蔵空間の内外部に出入可能に設けられる収納ボックスと、
前記収納ボックスの出入を案内する請求項１乃至４のうち、いずれか１項に記載されたレールアセンブリと、そして、
前記収納ボックスとレールアセンブリを着脱可能に結合させる結合装置と、
を含んで構成されることを特徴とする冷蔵庫用収納ボックス出入装置。
【請求項１４】
前記レールアセンブリを構成する固定レールは、前記貯蔵空間の両側面に各々備えられることを特徴とする請求項１３記載の冷蔵庫用収納ボックス出入装置。
【請求項１５】
前記結合装置は、前記レールアセンブリを構成するガイドレールの一側に備えられて前記収納ボックスの一側に選択的に係止される係止フックであることを特徴とする請求項１４記載の冷蔵庫用収納ボックス出入装置。
【請求項１６】
前記ガイドレールの一端と連結されて前記貯蔵空間を引出し式で選択的に開閉するドアを更に含んで構成されることを特徴とする請求項１５記載の冷蔵庫用収納ボックス出入装置。
【請求項１７】
前記レールアセンブリを構成する固定レールは、前記貯蔵空間の底面に備えられることを特徴とする請求項１３記載の冷蔵庫用収納ボックス出入装置。
【請求項１８】
前記結合装置は、
前記収納ボックスの底部と前記レールアセンブリを構成するガイドレールのうち、いずれか一方に備えられる装着溝と、
前記収納ボックスの底部と前記ガイドレールのうち、他方に備えられて、前記装着溝に結合される装着ボズを含んで構成されることを特徴とする請求項１７記載の冷蔵庫用収納ボックス出入装置。
【請求項１９】
前記収納ボックスの底部にはその一部が上方に凹入されて形成されて、前記ガイドレールが挿入される装着チャンネルが更に備えられることを特徴とする請求項１７記載の冷蔵庫用収納ボックス出入装置。
【請求項２０】
前記ガイドレールの一端と連結されて前記貯蔵空間を引出し式で選択的に開閉するドアを更に含んで構成されることを特徴とする請求項１９記載の冷蔵庫用収納ボックス出入装置。
【請求項２１】
前記レールアセンブリは、前記ガイドレールに対する前記移動レールの移動速度を制御するダンピング力を提供するダンピング装置を更に含んで構成されることを特徴とする請求項１３記載の冷蔵庫用収納ボックス出入装置。
【請求項２２】
前記ダンピング装置は、
前記貯蔵空間の内部に前記収納ボックスが受納される方向への前記ガイドレールに対する前記移動レールの移動速度を低減させるダンピング力を提供するダンピングユニットと、
前記収納ボックスが前記貯蔵空間の外部に引出される方向への前記ガイドレールに対する前記移動レールの移動距離によって前記移動レールとダンピングユニットを選択的に結合させる結合手段を含んで構成されることを特徴とする請求項２１記載の冷蔵庫用収納ボックス出入装置。
【請求項２３】
前記ダンピングユニットは、
前記移動レールの前記ガイドレールに対する移動方向へ移動可能に設けられるピストンと、
前記貯蔵空間の内部に前記収納ボックスが受納される方向に前記ピストンの移動を妨げるダンピング流体を含んで構成されることを特徴とする請求項２２記載の冷蔵庫用収納ボックス出入装置。
【請求項２４】
前記ダンピング部材は、
前記貯蔵空間の内部に前記収納ボックスが受納される方向への弾性力を前記ピストンに与える弾性部材を更に含んで構成されることを特徴とする請求項２３記載の冷蔵庫用収納ボックス出入装置。
【請求項２５】
前記結合手段は、
前記ピストンに結合される連動カムと、
前記ガイドレールに備えられて前記連動カムの移動を案内する第１ガイドスロットが備えられるガイド部材、そして、
前記移動レールの一側に備えられて前記収納ボックスが前記貯蔵空間の外部に引出される方向への前記ガイドレールに対する前記移動レールの移動距離によって前記連動カムと選択的に結合されて連動する連動部材を含んで構成されることを特徴とする請求項２４記載の冷蔵庫用収納ボックス出入装置。
【請求項２６】
前記収納ボックスが前記貯蔵空間の内部に受納される方向に前記移動レールが前記ガイドレールに対して移動すれば、前記連動カムに備えられる収納連動突起が前記連動部材に備えられる収納連動部に密着することによって、前記連動カムと連動部材が結合され、
前記収納ボックスが前記貯蔵空間の外部に引出される方向に前記移動レールが前記ガイドレールに対して移動すれば、前記連動カムに備えられる引出連動突起が前記連動部材に備えられる引出連動部に安着することによって、前記連動カムと連動部材が結合され、
前記収納ボックスが前記貯蔵空間の外部に引出される方向に前記移動レールが前記ガイドレールに対して所定の距離だけ移動すれば、前記連動カムに備えられるガイド突起が前記ガイド部材に備えられる第２ガイドスロットに沿って移動することで、前記連動カムが前記ピストンに対して弾性変形して前記引出連動突起が前記引出連動部に安着した状態で脱去することを特徴とする請求項２５記載の冷蔵庫用収納ボックス出入装置。
【発明の詳細な説明】
【技術分野】
【０００１】
本発明は、冷蔵庫に関し、より詳しくは、冷蔵庫の貯蔵空間の内外部に出入する収納ボックスを案内するための冷蔵庫用レールアセンブリ及びこれを含む冷蔵庫用収納ボックス出入装置に関する。
【背景技術】
【０００２】
冷蔵庫の本体の内部には貯蔵空間が備えられ、前記貯蔵空間はドアにより選択的に開閉される。前記ドアは回動式または引出し式で前記貯蔵空間を開閉する。特に、前記貯蔵空間が前記ドアにより引出し式で開閉される場合は、前記ドアによる前記貯蔵空間の開閉と共に貯蔵空間の内外部に出入可能に収納ボックスが備えられる。そして、前記貯蔵空間の内外部に出入する前記収納ボックスをガイドするためにレールアセンブリが備えられる。
【０００３】
図８は、従来技術による冷蔵庫用収納ボックス出入装置が備えられた冷蔵庫の内部を示す斜視図である。
【０００４】
図示したように、冷蔵庫本体１０の内部には貯蔵空間１１が備えられる。前記貯蔵空間１１はドア（図示していない）により引出し式で選択的に開閉される。そして、前記貯蔵空間１１の内外部に出入可能に収納ボックスが備えられ、前記収納ボックスの出入をガイドするために一対のレールアセンブリ２０が備えられる。
【０００５】
前記レールアセンブリ２０は、前記貯蔵空間１１の両側面に固定されるガイドレール２１と、前記ガイドレール２１に沿って移動可能に設けられる中間レール２３、そして、前記中間レール２３に沿って移動可能に設けられる移動レール２５を含んで構成される。そして、前記移動レール２５は前記ドア及び収納ボックスと連結される。したがって、前記ドアが前記貯蔵空間１１を引出し式で開閉すれば、これに連動して前記移動レール２５及び中間レール２３が各々前記中間レール２３及びガイドレール２１に沿って移動することで、前記収納ボックスが前記貯蔵空間１１の内外部に出入することになる。
【０００６】
一方、前記レールアセンブリ２０にはセルフクロージングユニット（self-closing unit）が備えられる。前記セルフクロージングユニットは、前記収納ボックスが前記貯蔵空間１１の内部へより容易に収納できるようにするためのものである。例えば、前記セルフクロージングユニットは、前記ガイドレール２１に沿って移動する移動部材と、前記移動部材に前記貯蔵空間１１の後方に向かう弾性力を与える弾性部材、そして、前記移動レール２５の後段に備えられて前記移動レール２５及び中間レール２３が前記貯蔵空間１１の後方に所定の距離だけ移動した状態で前記移動部材に選択的に係止される引出連動突起を含んで構成される。
【０００７】
しかしながら、上述したような従来技術による冷蔵庫用収納ボックス出入装置には次のような問題がある。
【０００８】
前述したように、前記セルフクロージングユニットにより前記移動レール２５に前記貯蔵空間１１の後方に向かう弾性力が与えられる。したがって、前記収納ボックスが前記貯蔵空間１１の内部に所定の距離だけ受納された状態で前記セルフクロージングユニットにより受納される速度が増加することになるので、使用者の身体の一部が前記本体１０と収納ボックスとの間の空間に挟まって負傷する虞がある。
【０００９】
のみならず、前記収納ボックスが前記貯蔵空間１１の内部に受納される速度が増加すれば、前記収納ボックスが前記貯蔵空間１１の内部に受納される過程で衝撃や騒音が発生する虞がある。
【００１０】
また、前記レールアセンブリ２０が前記貯蔵空間１１の両側面に備えられるので、前記収納ボックスは実質的にその両側が前記レールアセンブリ２０により支持される。したがって、前記収納ボックスの内部に受納される食品により収納ボックスの底部が下方に垂れることができる。特に、前記収納ボックスの底部の前後方向の中央部分には収納ボックスの内部に受納される食品により最も大きいモーメントが作用することになる。したがって、前記収納ボックスの底部が前記貯蔵空間１１の底面に接触することで、両者間の摩擦力により前記収納ボックスの出入が容易でない短所が発生する。
【発明の開示】
【発明が解決しようとする課題】
【００１１】
本発明は、前述したように、従来の問題点を解決するためのものであって、本発明の目的は、より安全に使用することができる冷蔵庫用レールアセンブリ及びこれを含む冷蔵庫用収納ボックス出入装置を提供することにある。
【００１２】
本発明の他の目的は、収納ボックスが貯蔵空間の内外部に出入する過程で発生する衝撃や騒音が防止できるように構成される冷蔵庫用レールアセンブリ及びこれを含む冷蔵庫用収納ボックス出入装置を提供することにある。
【００１３】
本発明の更に他の目的は、収納ボックスと貯蔵空間との間の摩擦が最小化できるように構成される冷蔵庫用レールアセンブリ及びこれを含む冷蔵庫用収納ボックス出入装置を提供することにある。
【課題を解決するための手段】
【００１４】
本発明の冷蔵庫用レールアセンブリは、冷蔵庫貯蔵空間の内外部に出入する収納ボックスを案内するための冷蔵庫用レールアセンブリであって、前記貯蔵空間の一側に前後方に長く備えられ、一面が開口されるガイドチャンネルが長手方向に長く備えられるガイドレールと、前記ガイドレールのガイドチャンネルと対向する一面が開口されるガイドチャンネルが長手方向に長く備えられ、前記収納ボックスが着脱可能に装着される移動レールと、前記ガイドチャンネルに各々挿入される一対のガイドフランジが備えられる中間レールと、そして、前記ガイドチャンネルとガイドフランジとの間に備えられる多数個のボールベアリングと、を含んで構成され、前記ガイドレールと移動レールが前記中間レールに対して移動することで、前記収納ボックスが前記貯蔵空間の内外部に出入されることを特徴とする。
【００１５】
また、本発明の冷蔵庫用収納ボックス出入装置は、冷蔵庫の貯蔵空間の内外部に出入可能に設けられる収納ボックスと、前記収納ボックスの出入を案内する請求項１乃至３のうち、いずれか１項に記載されたレールアセンブリと、前記収納ボックスとレールアセンブリを着脱可能に結合させる結合装置と、を含んで構成されることを特徴とする。
【発明の効果】
【００１６】
以上、詳細に説明したように構成される本発明による冷蔵庫用レールアセンブリ及びこれを含む冷蔵庫用収納ボックス出入装置によれば、次のような効果が得られる。
【００１７】
まず本発明によれば、収納ボックスが貯蔵空間の内部に受納される方向への外力がレールアセンブリに作用してもダンピング作用により前記収納ボックスが前記貯蔵空間の内部に受納される速度が調節される。したがって、前記収納ボックスが過度に速い速度で前記貯蔵空間の内部に受納される過程で使用者が負傷する現象が防止されることによって、より安全に製品を使用することができることになる。
【００１８】
また、このように、前記収納ボックスが前記貯蔵空間の内部に受納される速度が調節されることによって、前記収納ボックスが前記貯蔵空間の内外部に出入される過程で発生する衝撃や騒音が防止される。したがって、製品の使用性及び耐久性が向上できるようになる。
【００１９】
そして、本発明では前記貯蔵空間の底面にレールアセンブリが備えられる。したがって、前記収納ボックスの底部と前記貯蔵空間の底面との間の摩擦が最小化することで、使用者がより容易に前記収納ボックスを前記収納空間の内外部に出入できるようになる。
【発明を実施するための最良の形態】
【００２０】
このような本発明によれば、製品の安全性と使用性を増進させることができる利点がある。
【００２１】
以下では、本発明による冷蔵庫用レールアセンブリ及びこれを含む冷蔵庫用収納ボックス出入装置の好ましい実施形態を添付した図面を参照しつつ詳細に説明する。
【００２２】
図１は本発明による冷蔵庫用収納ボックス出入装置の好ましい実施形態を示す斜視図であり、図２は本発明による好ましい実施形態を収納ボックスが貯蔵空間の内部に受納された状態を示す斜視図である。
【００２３】
図示したように、本発明によるレールアセンブリ３０を構成するガイドレール３２は長手方向に長く形成される。前記ガイドレール３２は冷蔵庫の本体に備えられる貯蔵空間の両側面に前後方に長く設けられる。この際、前記ガイドレール３２は、図１において、図面上、右側端部が前記貯蔵空間の前方に向かうように設けられる。
【００２４】
前記ガイドレール３２を前記貯蔵空間の両側面に固定するために、前記ガイドレール３２には前記貯蔵空間の両側面にその一面に密着する締結リブ３３が備えられる。そして、前記締結リブ３３には前記貯蔵空間の両側面に締結される締結具が貫通する多数個の貫通ホール３３ａが形成される。前記貫通ホール３３ａの個数は前記レールアセンブリ３０の長さや重量などによって決まるはずである。
【００２５】
一方、前記ガイドレール３２の後段部にはダンピングユニット（self-damping unit）３４が設けられる。前記セルフダンピングユニット３４は、空気圧や油圧を利用して下記で説明する移動レール４６の移動速度を減少させることによって、実質的に前記貯蔵空間の内外部に出入する収納ボックスの受納される速度を減少させる役割をする。このために、前記セルフダンピングユニット３４のシリンダ３６の内部には気体や液体のようなダンピング流体が備えられる。このようなダンピング流体は下記で説明するスプリングの弾性力による前記ピストンの前記貯蔵空間の後方への移動を妨げることによって、実質的に前記収納ボックスが前記貯蔵空間の内部に受納される速度を減速させる。
【００２６】
また、前記シリンダにはピストン（図示していない）が設けられる。前記ピストンは前記ガイドレール３２に対する移動レール４６の移動方向、即ち、前記貯蔵空間の前後方に直線運動をする。そして、前記シリンダ３６の内部にはスプリング（図示していない）が備えられる。前記スプリングの両端は各々前記シリンダ３６とピストンの一側に固定される。前記スプリングは、前記収納ボックスが前記貯蔵空間の内部に受納される方向、即ち、前記貯蔵空間の後方への弾性力を前記ピストンに与える。即ち、前記ピストンには前記スプリングにより前記貯蔵空間の後方への弾性力が与えられると共に、これによる移動が前記ダンピング流体によって妨害を受けることになるものである。
【００２７】
そして、前記ピストンにはロード３７が連結される。前記ロード３７は所定の長さを有するものであって、前記ピストンにその一端が連結された状態で他端が前記シリンダ３６の外部に延びる。前記ピストンの一端が前記シリンダ３６の外部に延びるように構成することで、前記ロード３７が削除できることは勿論である。前記シリンダ３６の外部に延びる前記ロード３７の他端には連動カム３８が結合される。
【００２８】
前記連動カム３８は、前記ロード３７に対して弾性変形できるように所定の弾性を有する材質で成形されることが好ましい。例えば、前記連動カム３８は所定の弾性を有する合成樹脂材で成形することができる。
【００２９】
そして、前記連動カム３８には収納連動突起３８ａが備えられる。前記収納連動突起３８ａは、前記ロード３７の一側から所定の高さだけ上方に突出する。また、前記連動カム３８には引出連動突起３８ｂが備えられる。前記引出連動突起３８ｂは前記収納連動突起３８ａに対して所定の距離だけ前記貯蔵空間の前方、即ち、図１において、図面上、右側へ離隔した位置で所定の高さだけ上方に突出する。前記連動カム３８の一側にはガイド突起３８ｃが備えられる。前記ガイド突起３８ｃは前記連動カム３８の一側から水平に所定の長さだけ突出する。
【００３０】
また、前記ガイドレール３２の一側にはガイドリブ４０が備えられる。前記ガイドリブ４０は前記ロード３７及び連動カム３８の移動を案内するためのものである。前記ガイドリブ４０には第１ガイドスロット４０ａと第２ガイドスロット４０ｂが備えられる。前記第１ガイドスロット４０ａは前記ガイドリブ４０の上面に備えられて前記収納連動突起３８ａ及び引出連動突起３８ｂの移動を案内する。前記第２ガイドスロット４０ｂは前記ガイドリブ４０の一側面に備えられる。前記第２ガイドスロット４０ｂは前記貯蔵空間の前方に向かう、図１において、図面上、右側端部が下方に延びる略「鉤の手」状で形成される。前記第２ガイドスロット４０ｂは、前記ガイド突起３８ｃの移動を案内すると共に、移動レール４６が前記貯蔵空間の前方に所定の距離だけ移動して前記ロード３７及び連動カム３８が前記貯蔵空間の前方に所定の距離だけ移動した状態でロード３７及び連動カム３８が前記スプリングの弾性力により前記貯蔵空間の後方に移動することを防止する役割をする。このために、前記ガイド突起３８ｃは前記第２ガイドスロット４０ｂに沿って移動してから第２ガイドスロット４０ｂの前段部に係止される。この際、前記連動カム３８は前記ロード３７に対して下方に弾性変形する。
【００３１】
そして、前記ガイドレール３２には前記レールアセンブリ３０を構成する中間レール４４が設けられる。前記中間レール４４は前記ガイドレール３２に沿って移動可能に設けられる。また、前記中間レール４４には前記レールアセンブリ３０を構成する移動レール４６が設けられる。前記移動レール４６は、前記中間レール４４に沿って移動可能に設けられる。そして、前記移動レール４６は前記貯蔵空間を選択的に開閉するドアに連結される。したがって、前記ドアが前記貯蔵空間を遮蔽すれば、前記中間レール４４と移動レール４６が各々前記ガイドレール３２と中間レール４４に沿って前記貯蔵空間の前後方へ移動することになるものである。図示してはいないが、前記ガイドレール３２と中間レール４４との間及び前記中間レール４４と前記移動レール４６との間には、各々多数個のボールベアリングが備えられることができる。
【００３２】
そして、前記移動レール４６の後段部には係止フック５０が備えられる。前記係止フック５０は前記収納ボックスの後段部の一側が係止される部分である。したがって、前記ドアの前記貯蔵空間を開閉する動作に連動して前記中間レール４４と移動レール４６が前記貯蔵空間の前後方へ移動すれば、前記収納ボックスが前記貯蔵空間の内外部に出入される。
【００３３】
また、前記移動レール４６の一側には連動部材４８が備えられる。前記連動部材４８は前記移動レール４６の移動に連動して前記連動カム３８及びこれに連結された前記ロード３７とピストンが前記スプリングの弾性力を克服し、前記貯蔵空間の前後方へ移動するようにするためのものである。
【００３４】
前記連動部材４８には収納連動部４８ａが備えられる。前記収納連動部４８ａは前記収納連動突起３８ａと選択的に密着して前記移動レール４６が前記貯蔵空間の後方へ移動すれば、前記ガイド突起３８ｃを前記第２ガイドスロット４０ｂの前段部に係止された状態で脱去させる。
【００３５】
そして、前記連動部材４８には引出連動部４８ｂが備えられる。前記引出連動部４８ｂは前記引出連動突起３８ｂが選択的に安着する部分である。即ち、前記ガイド突起３８ｃが前記第２ガイドスロット４０ｂに沿って移動する過程では前記引出連動突起３８ｂが前記引出連動部４８ｂに安着する。前記第２ガイドスロット４０ｂに沿って移動する前記ガイド突起３８ｃが第２ガイドスロット４０ｂの前段部に係止されると、前記引出連動突起３８ｂは前記引出連動部４８ｂに安着した状態で脱去する。
【００３６】
以下、前述したように構成される本発明による冷蔵庫用収納ボックス出入装置の好ましい実施形態の作用を添付した図面を参照しつつ説明する。
【００３７】
まず、本発明による冷蔵庫用収納ボックス出入装置の好ましい実施形態の組立及び設置過程を説明する。
【００３８】
ガイドレール３２に中間レール４４を移動可能に結合させた状態で、前記中間レール４４に移動レール４６を移動可能に結合させる。そして、前記ガイドレール３２の後段部にセルフダンピングユニット３４を固定すれば、レールアセンブリ３０の組立が完了する。
【００３９】
このように組立てられた前記レールアセンブリ３０を貯蔵空間の両側面に固定する。即ち、前記ガイドレール３２の締結リブ３３の一面が貯蔵空間の両側面に密着した状態で前記締結リブ３３の貫通孔３３ａを貫通した締結具を前記貯蔵空間の両側面に締結することによって、前記レールアセンブリ３０が固定される。そして、前記移動レール４６をドアの裏面に連結し、前記移動レール４６の係止フック５０に収納容器の後段が係止されるようにすることで、前記レールアセンブリ３０の設置が完了する。
【００４０】
次に、本発明による冷蔵庫用収納ボックス出入装置の好ましい実施形態により収納ボックスが貯蔵空間の内外部に出入される動作を説明する。 
【００４１】
図３は本発明による好ましい実施形態により収納ボックスが貯蔵空間の外部に引出される動作を示す動作状態図であり、図４は本発明による好ましい実施形態により収納ボックスが貯蔵空間の内部に受納される動作を示す動作状態図である。
【００４２】
図３に示すように、収納ボックスが貯蔵空間の内部に完全に受納された状態、即ち、図３に図示されたＡのような状態では、連動カム３８の収納連動突起３８ａと引出連動突起３８ｂが各々連動部材４８の収納連動部４８ａに密着したり引出連動部４８ｂに受納される。そして、前記連動カム３８のガイド突起３８ｃはガイドリブ４０の第２ガイドスロット４０ｂの後段部に位置する。この際、前記連動カム３８にはロード３７によりスプリングから前記貯蔵空間の後方に向かう弾性力が与えられた状態である。
【００４３】
このような状態で使用者がドアを引出し式で前方に引いて前記貯蔵空間を開放させれば、前記移動レール４６及び中間レール４４が前記ガイドレール３２に沿って前記貯蔵空間の前方へ移動することによって、前記収納ボックスが前記貯蔵空間の外部に引出され始める。したがって、前記連動カム３８は前記移動レール４６及び中間レール４４の移動に連動して前記スプリングの弾性力を克服しながら前記ガイドリブ４０の第１ガイドスロット４０ａに沿って前記貯蔵空間の前方へ移動して図３に図示されたＢのような状態となる。この際、前記ガイド突起３８ｃは前記第２ガイドスロット４０ｂに沿って前記貯蔵空間の前方へ移動する。
【００４４】
そして、使用者が前記ドアを前方に続けて引っ張れば、前記移動レール４６及び中間レール４４は前記ガイドレール３２に沿って前記貯蔵空間の前方に続けて移動する。したがって、前記連動カム３８も前記移動レール４６及び中間レール４４の移動に連動して前記第１ガイドスロット４０ａに沿って前記収納空間の前方に続けて移動すれば、図３に図示されたＣのような状態となる。この際、前記ガイド突起３８ｃは前記第２ガイドスロット４０ｂに沿って移動してから第２ガイドスロット４０ｂの前段部に沿って下方へ移動して、これに係止された状態となる。これと共に、前記引出連動突起３８ｂは前記引出連動部４８ｂに安着した状態で脱去する。したがって、前記移動レール４６及び中間レール４４が前記ガイドレール３２に沿って前記貯蔵空間の前方に続けて移動しても前記定着カム３８はこれ以上前記第１ガイドスロット４０ａに沿って前記貯蔵空間の前方へ移動しなくなる。また、前記ガイド突起３８ｃが前記第２ガイドスロット４０ｂに係止された状態であるので、前記連動カム３８は前記スプリングの弾性力が与えられても前記貯蔵空間の後方へ移動しなくなる。
【００４５】
一方、前記ドアを続けて前方へ引っ張れば、前記貯蔵空間が前記ドアにより完全に開放される。したがって、前記収納ボックスが前記貯蔵空間の外部に完全に引出される。また、前記移動レール４６及び中間レール４４が前記ガイドレール３２に沿って前記貯蔵空間の前方に完全に移動した状態で、前記移動レール４６が前記中間レール４４に沿って前記貯蔵空間の前方へ移動する。
【００４６】
前記貯蔵空間の外部に完全に引出された前記収納ボックスを前記貯蔵空間の内部に収納するために使用者が前記ドアを引出し式で後方へ押込む。したがって、前記移動レール４６が前記中間レール４４に沿って前記貯蔵空間の後方へ移動する。
【００４７】
使用者が前記ドアを続けて後方に押込めば、前記移動レール４６が前記中間レール４４に沿って前記貯蔵空間の後方に完全に移動する。そして、このような状態で前記移動レール４６及び中間レール４４が前記ガイドレール３２に沿って前記貯蔵空間の後方へ移動する。
【００４８】
また、前記移動レール４６及び中間レール４４が移動すれば、前記連動部材４８も前記貯蔵空間の後方へ移動する。したがって、前記移動レール４６及び中間レール４４が前記収納ボックスが前記貯蔵空間の外部に完全に引出された状態で所定の距離だけ貯蔵空間の内部に受納されれば、図４に図示されたＤのような状態となって、前記収納連動部４８ａが収納連動突起３８ａに密着する。
【００４９】
そして、使用者が前記ドアを後方に続けて押込めば、前記移動レール４６及び中間レール４４は前記ガイドレール３２に沿って前記貯蔵空間の後方へ移動し、前記連動部材４８も前記貯蔵空間の後方へ移動する。したがって、前記連動カム３８は前記収納連動突起３８ａが前記収納連動部４８ａに密着した状態で押されることにより、前記貯蔵空間の後方へ移動することになる。これと共に、前記ガイド突起３８ｃは前記第２ガイドスロット４０ｂの前段部に係止された状態で脱去し、前記引出連動突起３８ｂは前記引出連動部４８ｂに安着する。
【００５０】
ところが、前記連動カム３８には前記貯蔵空間の後方に向かう前記スプリングの弾性力が作用する。したがって、前記連動部材４８が前記移動レール４６及び中間レール４４の移動により前記貯蔵空間の後方へ移動しなくても、即ち、使用者が前記ドアを後方に押込まなくても前記連動カム３８及び連動部材４８は前記貯蔵空間の後方へ移動して図４に図示されたＥのような状態となる。したがって、このような前記連動部材４８の移動により前記移動レール４６及び中間レール４４は前記ガイドレール３２に沿って前記貯蔵空間の後方へ移動する。また、前記移動レール４６及び中間レール４４の移動により前記収納ボックスは前記貯蔵空間の内部に続けて受納され、前記ドアを後方へ移動して前記貯蔵空間を遮蔽することになる。
【００５１】
一方、前記連動カム３８が前記貯蔵空間の後方へ移動すれば、これに連結されたロード３７とピストンも前記貯蔵空間の後方へ移動する。ところが、シリンダ３６の内部にはダンピング流体が備えられるので、前記ピストンの前記貯蔵空間の後方への移動が前記ダンピング流体により妨害を受けることになる。したがって、前記スプリングの弾性力により前記連動カム３８が前記貯蔵空間の後方へ移動する速度が減少されることで、実質的に前記収納ボックスが前記貯蔵空間の内部に受納される速度が減少する。
【００５２】
以下、本発明による冷蔵庫用レールアセンブリ及びこれを含む冷蔵庫用収納ボックス出入装置の他の実施形態を添付した図面を参照しつつ詳細に説明する。
【００５３】
図５は本発明による冷蔵庫用収納ボックス出入装置の他の実施形態を示す分解斜視図であり、図６は本発明による他の実施形態で収納ボックスが貯蔵空間の内部に受納された状態を示す斜視図であり、図７は本発明による他の実施形態の結合された状態の要部を概略的に示す縦断面図である。
【００５４】
図示したように、本実施形態ではレールアセンブリ１３０が冷蔵庫の本体に備えられる貯蔵空間１１０の底面に設けられる。即ち、図１乃至図４に図示された本発明の好ましい実施形態では、レールアセンブリ３０が貯蔵空間の両側面に前後方に長く設けられることに反して、本実施形態では、前記レールアセンブリ１３０が前記貯蔵空間１１０の底面に前後方に長く設けられるものである。したがって、本実施形態では、１つの前記レールアセンブリ１３０による前記貯蔵空間１１０の内外部に出入する収納ボックス１５２のガイドが可能になる。しかしながら、本実施形態を構成する前記レールアセンブリ１３０の具体的な構成は図１乃至図４に図示された本発明の好ましい実施形態と同一である。
【００５５】
即ち、前記レールアセンブリ１３０は、ガイドレール１３２と中間レール１４４、移動レール１４６、及びダンピング装置１３４を含んで構成される。また、前記ガイドレール１３２には前記貯蔵空間１１０の底面に固定させるために貯蔵空間１１０の底面に形成される締結孔１１０ａに締結されるスクリュー（Ｓ）が貫通する貫通ホール１３３ａが形成される締結リブ１３３が備えられる。
【００５６】
そして、前記ダンピング装置１３４はシリンダ１３６とダンピング流体、ピストン、スプリング、ロード１３７、そして連動カム１３８を含んで構成される。前記連動カム１３８には収納連動突起１３８ａと引出連動突起１３８ｂ及びガイド突起１３８ｃが備えられる。
【００５７】
また、前記ガイドレール１３２には前記連動カム１３８及びロード１３７の移動を案内するためのガイドリブ１４０が備えられる。前記ガイドリブ１４０には前記連動カム１３８及びロード１３７と前記収納連動突起１３８ａ及び引出連動突起１３８ｂの移動を案内する第１ガイドスロット１４０ａと、前記ガイド突起１３８ｃの移動を案内し、これを係止するための第２ガイドスロット１４０ｂが備えられる。
【００５８】
前記移動レール１４６には連動部材１４８が備えられる。前記連動部材１４８には前記収納連動突起１３８ａが密着する前記収納連動部１４８ａと、前記引出連動突起１３８ｂが安着する引出連動部１４８ｂが備えられる。
【００５９】
そして、図７に示すように、前記ガイドレール１３２と中間レール１４４との間及び前記中間レール１４４と移動レール１４６との間には各々多数個のボールベアリング（Ｂ）が備えられる。前記ボールベアリング（Ｂ）は、前記ガイドレール１３２と中間レール１４４との間及び前記中間レール１４４と移動レール１４６との間の摩擦力を減少させるためのものである。
【００６０】
但し、前記移動レール１４６と収納ボックス１５２の固定のための構成は、図１乃至図４に図示された本発明の好ましい実施形態と相異する。即ち、前記移動レール１４６の上面には一対の装着ボズ１５０が備えられる。前記装着ボズ１５０は、前記移動レール１４６の上面で所定の高さだけ突出する。そして、前記収納ボックス１５２の底部には装着チャンネル１５６が備えられる。前記装着チャンネル１５６は前記収納ボックス１５２の底部の前後方向の中央部が上方に凹入されて形成される。前記装着チャンネル１５６には前記レールアセンブリ１３０が挿入される。そして、前記装着チャンネル１５６の高さは前記レールアセンブリ１３０が挿入された状態で前記収納ボックス１５２の底部と前記貯蔵空間１１０の底面との間が所定の距離だけ離隔する範囲で決まる。また、前記装着チャンネル１５６の内面に該当する前記収納ボックス１５２の底部には一対の装着溝１５６ａが形成される。前記レールアセンブリ１３０が前記装着チャンネル１５６に挿入された状態で前記装着溝１５６ａには前記装着ボズ１５０が各々挿入される。
【００６１】
本実施形態では、前記収納ボックス１５２が前記装着チャンネル１５６に挿入された前記レールアセンブリ１３０により、その底部が前記貯蔵空間１１０の底面から所定の距離だけ離隔した状態で支持される。したがって、前記収納ボックス１５２の内部に備えられる収納空間１５４に受納された食品により作用する荷重により収納ボックス１５２の底部が垂れることによって、前記収納ボックス１５２の底部と前記貯蔵空間１１０の底面が接触する現象が防止できることになる。
【００６２】
また、本実施形態では、前記ガイドレール１３２の内部にはガイドチャンネル１３２Ｃが備えられる。前記ガイドレール１３２のガイドチャンネル１３２Ｃは、その上面の一部が開口される長方形の横断面を有するように前記ガイドレール１３２の長手方向に長く形成される。
【００６３】
そして、前記移動レール１４６の内部にもガイドチャンネル１４６Ｃが備えられる。前記移動レール１４６のガイドチャンネル１４６Ｃは、その底面の一部が開口される長方形の横断面を有するように前記移動レール１４６の長手方向に長く形成される。即ち、前記ガイドレール１３２のガイドチャンネル１３２Ｃと前記移動レール１４６のガイドチャンネル１４６Ｃは互いに対向する面の一部が開口されるものである。
【００６４】
一方、前記中間レール１４４は、長手方向に長く形成され、その上下段が前記ガイドレール１３２のガイドチャンネル１３２Ｃと前記移動レール１４６のガイドチャンネル１４６Ｃに各々挿入されるように位置する。この際、前記中間レール１４４の上下段は、前記ガイドレール１３２のガイドチャンネル１３２Ｃの底面と前記移動レール１４６のガイドチャンネル１４６Ｃの天井面から所定の距離だけ離隔する。
【００６５】
また、前記中間レール１４４には一対のガイドフランジ１４４Ｆが備えられる。前記中間レール１４４のガイドフランジ１４４Ｆは各々前記中間レール１４４の上下段から上方または下方に所定の距離だけ離隔した位置で中間レール１４４に直交するように延びる。したがって、前記中間レール１４４のガイドフランジ１４４Ｆの下面または上面は、各々前記ガイドレール１３２のガイドチャンネル１３２Ｃの底面または前記移動レール１４６のガイドチャンネル１４６Ｃの天井面から所定の距離だけ離隔する。
【００６６】
そして、前記中間レール１４４のガイドフランジ１４４Ｆの底面または上面には各々区切りリブ１４４Ｒが備えられる。前記中間レール１４４の区切りリブ１４４Ｒは各々前記中間レール１４４の上下段に対応する前記中間レール１４４のガイドフランジ１４４Ｆの下面または上面から下方または上方に突出する。この際、前記中間レール１４４の区切りリブ１４４Ｒの先端は各々前記ガイドレール１３２のガイドチャンネル１３２Ｃの底面または前記移動レール１４６のガイドチャンネル１４６Ｃの天井面から所定の距離だけ離隔することが好ましい。本実施形態では、前記中間レール１４４の区切りリブ１４４Ｒが前記中間レール１４４のガイドフランジ１４４Ｆの底面または上面から各々突出することと記載したが、実質的に前記中間レール１４４のガイドフランジ１４４Ｆが前記中間レール１４４の上下段から所定の距離だけ離隔した位置に備えられることによって、前記中間レール１４４の上下段に隣接するその一部が前記中間レール１４４の区切りリブ１４４Ｒを形成するものである。
【００６７】
そして、前記ガイドレール１３２のガイドチャンネル１３２Ｃの底面と前記中間レール１４４のガイドフランジ１４４Ｆのうち、いずれか１つの底面の間及び前記移動レール１４６のガイドチャンネル１４６Ｃの天井面と前記中間レール１４４のガイドフランジ１４４Ｆのうち、他の一つの上面の間には各々多数個の前記ボールベアリング（Ｂ）が備えられる。この際、前記ボールベアリング（Ｂ）は前記中間レール１４４の区切りリブ１４４Ｒにより区切りされて、前記中間レール１４４に対する前記ガイドレール１３２及び移動レール１４６の移動方向に直交する方向、即ち、図７において、図面上、左右に移動することが防止される。
【００６８】
また、前記ガイドレール１３２のガイドチャンネル１３２Ｃの開口された部分に隣接する天井面と前記中間レール１４４のガイドフランジ１４４Ｆのうち、いずれか１つの上面の間及び前記移動レール１４６のガイドチャンネル１４６Ｃの開口された部分に隣接する底面と前記中間レール１４４のガイドフランジ１４４Ｆのうち、他の一つの底面の間にも多数個の前記ボールベアリング（Ｂ）が備えられる。この際、前記ボールベアリング（Ｂ）は実質的に前記中間レール１４４により、図７において、図面上、左右に移動することが防止される。
【００６９】
本発明の権利は前述した実施形態に限るのでなく、請求範囲に記載されたことにより定義され、本発明の分野で通常の知識を有する者が請求範囲に記載された権利範囲内で多様な変形と改作ができるということは自明である。
【００７０】
前述した実施形態では、前記ピストンとロード及び連動カムに弾性力を与えるために前記ダンピング装置に前記スプリングが備えられる。しかしながら、前記スプリングに限るのでなく、所定の弾性を有する弾性部材であれば他の如何なる構成も適用可能である。
【図面の簡単な説明】
【００７１】
【図１】本発明による冷蔵庫用収納ボックス出入装置の好ましい実施形態を示す斜視図である。
【図２】本発明による好ましい実施形態を収納ボックスが貯蔵空間の内部に受納された状態を示す斜視図である。
【図３】本発明による好ましい実施形態により収納ボックスが貯蔵空間の外部に引出される動作を示す動作状態図である。
【図４】本発明による好ましい実施形態により収納ボックスが貯蔵空間の内部に受納される動作を示す動作状態図である。
【図５】本発明による冷蔵庫用収納ボックス出入装置の他の実施形態を示す分解斜視図である。
【図６】本発明による他の実施形態において、収納ボックスが貯蔵空間の内部に受納された状態を示す斜視図である。
【図７】本発明による他の実施形態の結合された状態の要部を概略的に示す縦断面図である。
【図８】従来技術による冷蔵庫用収納ボックス出入装置が備えられた冷蔵庫の内部を示す斜視図である。
【符号の説明】
【００７２】
１０    冷蔵庫本体
１１、１１０    貯蔵空間
２０、３０、１３０    レールアセンブリ
２１、３２、１３２    ガイドレール
２３、４４、１４４    中間レール
２５、４６、１４６    移動レール
３３    締結リブ
３４    セルフダンピングユニット
３６、１３６    シリンダ
３７、１３７    ロード
３８、１３８    連動カム
４０、１４０    ガイドリブ
５０    係止フック
１５０    装着ボズ
【図１】
2007155324.tif 000003
【図２】
2007155324.tif 000004
【図３】
2007155324.tif 000005
【図４】
2007155324.tif 000006
【図５】
2007155324.tif 000007
【図６】
2007155324.tif 000008
【図７】
2007155324.tif 000009
【図８】
2007155324.tif 000010